(57)【特許請求の範囲】
【請求項１】
一端が給油ノズルの先端の空気吸込口に連通し、他端が陰圧によってばね力に抗して作動するダイヤフラムを備えたダイヤフラム室を有し、液面を検知することにより主弁の閉止動作を行なう自動閉弁機構を設けた給油ノズルを備えた給油装置において、
給油時間が予め設定された制限時間に達した後に、さらに連続給油を行うスイッチ手段を設け、
前記スイッチ手段に対する操作に基づき、給油量に対して予め設定された制限量の範囲内で前記制限時間を伴う連続給油を行うことを特徴とする給油装置。
【請求項２】
前記スイッチ手段は、キースイッチであることを特徴とする請求項１に記載の給油装置。
【請求項３】
前記スイッチ手段は、前記給油ノズルの掛け外しを検知するノズルスイッチであり、該ノズルスイッチを短押しすることで連続給油を可能とすることを特徴とする請求項１に記載の給油装置。
【請求項４】
前記スイッチ手段は、該給油装置の表示パネルに表示される押圧スイッチであることを特徴とする請求項１に記載の給油装置。
【請求項５】
前記スイッチ手段は、他の装置から送信された連続給油指令信号を受信して前記連続給油を可能にする切換スイッチであることを特徴とする請求項１に記載の給油装置。
【発明の詳細な説明】
【技術分野】
【０００１】
本発明は、給油装置に関し、特に、作業員が給油作業を行うフルサービス式と、顧客自身が給油を行うセルフサービス式の両方式を兼用する給油装置に関する。
【背景技術】
【０００２】
近年の給油所で用いられている給油ノズルには、例えば、特許文献１に記載のように、ノズル本体に接続されている吐出管の先端に開口した空気流路管がタンク内の燃料油によって閉塞すると、閉弁機構が自動的に作動して主弁を閉止するように機能する自動閉弁機構が設けられている。この自動閉弁機構は、ダイヤフラム室の圧力変動を利用してクラッチの解除を行なうものであり、この動作は、通常燃料タンク内に燃料が満杯になると、燃料パイプ内の燃料油を検知して作動するのが一般的である。
【０００３】
一方、省力化を目的に、顧客の多い時間帯では作業員が給油作業を行うフルサービス式とし、顧客の少ない時間帯では顧客自身が給油を行うセルフサービス式として営業している給油所が増加している。そのような給油所では、不慣れな顧客の給油作業に対して大量漏洩や火災発生を防止するため、消防法により定量定時間（ガソリンで最大給油量１００Ｌ、給油時間４分間、軽油で最大給油量２００Ｌ、給油時間４分間、灯油で最大給油量１００Ｌ、給油時間６分間）の制限が設けられている。同様に、大型トラック専用給油取扱所では、軽油で最大給油量６００Ｌ、給油時間１０分の定量定時間の制限が設けられている。
【先行技術文献】
【特許文献】
【０００４】
【特許文献１】特開平２−２０５５９６号公報
【発明の概要】
【発明が解決しようとする課題】
【０００５】
上記自動閉弁機構が正常に機能する場合には問題はないが、車両に搭載される燃料タンク内のエア抜きが十分に行われず、給油ノズルより吐出される燃料油が燃料タンクに供給されずに燃料パイプを逆流したり、燃料パイプが細いことなどにより、給油ノズルより吐出される燃料油により吐出管と燃料パイプとの空間が満たされて燃料油が逆流したり、燃料パイプの曲がりが急激である場合に、燃料油が跳ね返ることで、上記自動閉弁機構が予期せずに機能することがある。
【０００６】
一方、上記大量漏洩や火災発生を防止するために設けられた給油量及び給油時間の定量定時間の制限により、フルサービス式の時間帯に作業員が一方の車両に給油ノズルを挿入して給油状態としながら、他方の車両の対応をしている際に、前記一方の車両の給油作業に関する定量定時間を超過すると、給油装置の電磁弁が作動してそれ以上の給油作業ができなくなる場合がある。
【０００７】
特に、外車等車種によっては、燃料タンクの給油口や給油経路の形状の影響で給油時のエア抜け（給油燃料とタンク内の空気の置換）が良好に行われず、ノズルの溢れ防止機能が頻繁に作動し、さらに大型の燃料タンクを有する場合には給油動作が長時間にわたり、上記自動閉塞弁が作動して給油不能に陥ることが多い。
【０００８】
そのような場合には、顧客が所有しているカードを要求して給油設定を再び行う必要があり、さらに給油伝票も２枚になるなどの煩わしさが生じる。
【０００９】
そこで、本発明は、上記従来の給油装置における問題点に鑑みてなされたものであって、フルサービス式と、セルフサービス式の両方式を兼用する給油装置において、セルフサービス時における大量漏洩や火災発生を防止しながら、フルサービス時における円滑な給油動作を確保することのできる給油装置を提供することを目的とする。
【課題を解決するための手段】
【００１０】
上記目的を達成するため、本発明は、一端が給油ノズルの先端の空気吸込口に連通し、他端が陰圧によってばね力に抗して作動するダイヤフラムを備えたダイヤフラム室を有し、液面を検知することにより主弁の閉止動作を行なう自動閉弁機構を設けた給油ノズルを備えた給油装置において、給油時間が予め設定された制限時間に達した後に、さらに連続給油を行うスイッチ手段を設け、前記スイッチ手段に対する操作に基づき、給油量に対して予め設定された制限量の範囲内で前記制限時間を伴う連続給油を行うことを特徴とする。
【００１１】
そして、本発明によれば、スイッチ手段によって、制限時間が経過した後であっても、安全性を考慮しながら、さらに連続給油を行うことができるため、セルフサービス時における大量漏洩や火災発生を防止しながら、フルサービス時における円滑な給油動作を確保することが可能となる。
【００１２】
上記給油装置において、前記スイッチ手段をキースイッチとすることができる。これにより、フルサービス時にのみキーを差して連続給油が可能となり、給油所の作業員は複数台の給油とサービス作業を同時に行うことができて効率的である。
【００１３】
また、前記スイッチ手段を、前記給油ノズルの掛け外しを検知するノズルスイッチとすることができ、該ノズルスイッチを短押しすることで連続給油を可能とすることができる。例えば、ノズルスイッチを１秒以下の短押しすることで連続給油を可能とし、２秒以上長く押すことで給油ノズルが戻されたと判断して処理することができる。
【００１４】
さらに、前記スイッチ手段を、該給油装置の表示パネルに表示される押圧スイッチとすることもでき、また、他の装置から送信された連続給油指令信号を受信して連続給油を可能にする切換スイッチとすることもできる。
【発明の効果】
【００１５】
以上のように、本発明によれば、フルサービス式と、セルフサービス式の両方式を兼用する給油装置において、セルフサービス時における大量漏洩や火災発生を防止しながら、フルサービス時における円滑な給油動作を確保することができる。
【図面の簡単な説明】
【００１６】
【図１】本発明にかかる給油装置の一実施の形態を示す全体概略図である。
【図２】図１の給油装置のキースイッチを示す概略図である。
【図３】図１の給油装置の動作を示すフローチャートである。
【図４】図２のキースイッチを使用する場合の表示パネルの表示例を示す図である。
【図５】図２のキースイッチを使用しない場合の表示パネルの表示例を示す図である。
【図６】図１の給油装置において、スイッチ手段として、ノズルスイッチの短押しを使用する場合の表示パネルの表示例を示す図である。
【図７】図１の給油装置において、スイッチ手段として、タッチパネル上にソフトウェアで新たに連続給油ボタンを設けた場合の表示パネルの表示例を示す図である。
【図８】図１の給油装置において、スイッチ手段として、他の装置から送信された連続給油指令信号を受信して連続給油を可能にする切換スイッチを用いる場合を示す概略構成図である。
【図９】給油装置の各々に隣接する外部入力装置にスイッチ手段を設けた場合を示す概略構成図である。
【図１０】ＰＯＳ又はＰＯＳの外部入力装置にスイッチ手段を設けた場合を示す概略構成図である。
【図１１】フルサービス用のＰＯＳと、セルフサービス用のＰＯＳを給油装置に接続した場合を示す概略構成図である。
【発明を実施するための形態】
【００１７】
次に、本発明を実施するための形態について図面を参照しながら説明する。
【００１８】
図１は、本発明にかかる給油装置の一実施の形態を示し、この給油装置１は、図示を省略するが、一端が給油ノズルの先端の空気吸込口に連通し、他端が陰圧によってばね力に抗して作動するダイヤフラムを備えたダイヤフラム室を有し、液面を検知することにより主弁の閉止動作を行なう自動閉弁機構を設けた給油ノズルを備え、フルサービス式とセルフサービス式の両方式を兼用するものであって、本体２と、本体２の内部に設けられた給油ポンプ４、流量計７、８、ノズルスイッチ１５、１６、表示パネル１７、１８、キースイッチ１９、２０及び制御装置２１等で構成され、１台の給油ポンプ４で、給油装置１の両側の２箇所で車両等に給油可能に構成される。
【００１９】
給油ポンプ４は、モータ３によって駆動され、給油ポンプ４の吸入口側は、地下に設けられた燃料タンクに連通するパイプ５に接続される。一方、給油ポンプ４の吐出口側は２つに分岐され、各々流量計７、８の入口側に接続される。
【００２０】
流量計７、８は、給油量を計測するために設けられ、各々流量パルス発信器を備えるとともに、流量計７、８の各々の出口側は、給油ホースを介して給油ノズルに接続され、各々の給油ノズルは、ノズル掛け１３、１４の各々に着脱自在に掛けられる。
【００２１】
ノズルスイッチ１５、１６は、各ノズル掛け１３、１４の近傍に設置され、ノズルスイッチ１５、１６の各々は、給油ノズルの脱着によりオン・オフする。
【００２２】
表示パネル１７、１８は、給油量、給油金額、単価等や、後述する連続給油の案内等を表示するため、本体２の上部に設けられる。
【００２３】
キースイッチ１９、２０は、定量定時間の給油制限を超過した場合においても、給油作業者による安全確認後の給油許可により、連続給油に入ることを可能にするために備えられ、図２に示すように、キー１９ａ、２０ａによって通常状態と、連続給油開始の２つの位置を切り換える。尚、連続給油時において、再度、定量定時間の給油制限（給油タイム４分及び給油量１００Ｌ）がなされる。
【００２４】
制御装置２１は、給油装置１全体を制御するために設けられ、制御装置２１には、各種の操作スイッチが接続されると共に、ノズルスイッチ１５、１６からの信号、流量計７、８のパルス発信器からの信号が各々入力され、モータ３及び電磁弁１０、１１へ制御信号が出力される。
【００２５】
次に、上記構成を有する給油装置１の動作について、図３を中心に参照しながら説明する。尚、以下の説明においては、フルサービス時において、各種設定操作や、給油ノズルの掛け外し等の操作を給油所の作業員が行い、ガソリンを給油するものとする。
【００２６】
図１の右側の表示パネル１７で油種、給油のプリセット量等を設定後、ノズル掛け１３に掛けられた給油ノズルを外すと、そのノズルスイッチ１５が動作し（ステップＳ１）、給油ポンプ４がオンして電磁弁１０が開き、帰零する（ステップＳ２）。
【００２７】
ステップＳ３において、流量計７の流量パルス発信器から流量パルスが発せられているか否かを判断し、流量パルスが発せられている場合には（ステップＳ３；Ｙｅｓ）、計数表示し（ステップＳ４）、ステップＳ５で給油量が所望量に達したか否か、すなわちプリセット量が給油されたか否かを判断する。一方、流量パルスが発せられていない場合には（ステップＳ３；Ｎｏ）、ステップＳ５で給油量が所望量に達したか否かを判断する。
【００２８】
ステップＳ５において、給油量が所望量に達したと判断された場合には（ステップＳ５；Ｙｅｓ）、電磁弁１０を閉じ（ステップＳ６）、ステップＳ７で他方の電磁弁１１が開いているか否かを判断し、他方の電磁弁１１が閉じている場合には（ステップＳ７；Ｎｏ）、給油ポンプ４を停止し（ステップＳ８）、ステップＳ９でノズルスイッチ１５がオフされたか否かを判断する。一方、ステップＳ７で他方の電磁弁１１が開いていると判断された場合には（ステップＳ７；Ｙｅｓ）、そのまま、ステップＳ９でノズルスイッチ１５がオフされたか否かを判断する。
【００２９】
ステップＳ９において、ノズルスイッチ１５がオフされたと判断された場合には（ステップＳ９；Ｙｅｓ）、ステップＳ１０で伝票を発行して処理を終了する。一方、ステップＳ９において、ノズルスイッチ１５がオフされていないと判断された場合には（ステップＳ９；Ｎｏ）、ノズルスイッチ１５がオフされるまで待って、ステップＳ１０で伝票を発行して処理を終了する。
【００３０】
ステップＳ５において、給油量が所望量に達していないと判断された場合には（ステップＳ５；Ｎｏ）、ステップＳ１１で定量制限（１００Ｌ）に達したか否かを判断し、定量制限に達していれば（ステップＳ１１；Ｙｅｓ）、ステップＳ６において電磁弁１０を閉じ、以下ステップＳ７〜Ｓ１０を行って処理を終了する。
【００３１】
一方、ステップＳ１１で定量制限に達していなければ（ステップＳ１１；Ｎｏ）、ステップＳ１２で定時間制限（４分）に達したか否かを判断し、定時間制限に達していなければ（ステップＳ１２；Ｎｏ）、ステップＳ３に移行する。
【００３２】
ステップＳ１２で定時間制限に達していれば（ステップＳ１２；Ｙｅｓ）、ステップＳ１３で電磁弁１０を閉じ、ステップＳ１４で他方の電磁弁１１が開いているか否かを判断し、他方の電磁弁１１が閉じている場合には（ステップＳ１４；Ｎｏ）、給油ポンプ４を停止し（ステップＳ１５）、ステップＳ１６でスイッチ手段がオンされたか否か、すなわち、キー１９ａが、図２に示す通常状態から連続給油開始に切り換えられたか否かを判断する。一方、ステップＳ１４で他方の電磁弁１１が開いていると判断された場合には（ステップＳ１４；Ｙｅｓ）、そのまま、ステップＳ１６でスイッチ手段ががオンされたか否かを判断する。
【００３３】
ステップＳ１６でスイッチ手段がオンされていないと判断された場合には（ステップＳ１６；Ｎｏ）、ステップＳ１７でノズルスイッチ１５がオフされたか否かを判断し、ノズルスイッチ１５がオフされたと判断された場合には（ステップＳ１７；Ｙｅｓ）、ステップＳ１０で伝票を発行して処理を終了する。一方、ステップＳ１７において、ノズルスイッチ１５がオフされていないと判断された場合には（ステップＳ１７；Ｎｏ）、ステップＳ１６に戻る。
【００３４】
ステップＳ１６でスイッチ手段がオンされていると判断された場合には（ステップＳ１６；Ｙｅｓ）、ステップＳ１８で給油ポンプ４が駆動されているか否かを判断し、給油ポンプ４が駆動されていない場合には、給油ポンプ４が駆動されるまで待ち、ステップＳ１９において電磁弁１０を開き、ステップＳ３へ移行して連続給油を行う。
【００３５】
以上のように、上記実施の形態においては、定量定時間の給油制限を超過した場合でも、給油所の給油作業員による安全確認後の給油許可により、定量定時間の給油制限を伴う連続給油に入ることが可能となる。これにより、定量定時間の給油制限機能を除外せず、認証上の問題も発生しない。また、最後まで一連の給油動作として給油所のＰＯＳが認識することで、伝票が複数枚発行されることがなく、一枚の伝票発行となる。
【００３６】
尚、上記実施の形態においては、給油所の給油作業員がスイッチ手段としてのキースイッチ１９のキー１９ａを通常状態から連続給油開始に切り換えたが、図４に示すような内容を給油装置１の表示パネル１７に表示し、キースイッチ１９のキー１９ａを顧客自身が切り換えて連続給油を行うこともできる。尚、表示パネル１７の右半分の領域に、キースイッチのキーを連続給油の開始位置まで回す映像やＣＧの再生画像を表示し、その下方の領域に、ノズルをノズル掛けに戻す映像やＣＧの再生画像を表示すると、連続給油を行うための操作がより判り易くなる。
【００３７】
また、主にセルフサービス時において、顧客自身によるキースイッチ１９のキー１９ａの操作を制限したい場合には、キー１９ａを抜いておき、図５に示すような内容を給油装置１の表示パネル１７に表示し、給油ノズルをノズル掛け１３に戻すように促すこともできる。この場合、表示パネル１７の右半分の領域には、ノズルをノズル掛けに戻す映像やＣＧの再生画像を表示すると、操作がより判り易くなる。
【００３８】
また、キースイッチ１９、２０に代えて、スイッチ手段として、ノズルスイッチ１５、１６を、例えば１秒以下押し続けるような短時間押し操作を用いることも可能である。この操作を採用する場合には、図６に示すような内容を給油装置１の表示パネル１７、１８に表示すると、特に顧客による連続給油を円滑に行うことができる。尚、表示パネル１７、１８の右半分の領域に、ノズルスイッチを早押し（短時間操作）する映像及びＣＧの再生画像を表示すると、連続給油を行うための操作がより判り易くなる。
【００３９】
さらに、上記キースイッチ１９、２０や、ノズルスイッチ１５、１６の短時間押し操作に代えて、スイッチ手段として、図７に示すように、表示パネル１７、１８上にソフトウェアで新たに連続給油ボタンを設け、ＹＥＳが押された場合には、通常給油画面を表示して連続給油を可能とし、ＮＯが押された場合には、給油ノズルをノズル掛け１３、１４に戻すように促すこともできる。この際、下方の表示パネル１７、１８の右半分の領域に、ノズルをノズル掛けに戻す映像やＣＧの再生画像を表示すると、操作がより判り易くなる。
【００４０】
また、図８に示すように、給油装置１（１Ａ〜１Ｄ）に設けられたスイッチ手段ではなく、ＰＯＳ等、他の外部装置から連続給油指令信号を送信し、これを受信して連続給油を可能にする切換スイッチを給油装置１に設けて連続給油を行うこともできる。
【００４１】
上記構成例として、図９に示すように、給油装置１（１Ａ〜１Ｄ）の各々に隣接して設けられ、給油装置１とＰＯＳ３２との間に配置された外部入力装置３１（３１Ａ〜３１Ｄ）に、図２に示したキースイッチ１９（２０）や、図７に示した表示パネル１７（１８）上にソフトウェアで作成した連続給油ボタンと同様の構成を有するスイッチ手段等を設けて連続給油を行うことができる。
【００４２】
また、図１０に示すように、給油装置１（１Ａ〜１Ｄ）に接続されたＰＯＳ３２に図２に示したキースイッチ１９（２０）を設けたり（図１０（ａ））、ＰＯＳ３２の表示部３２ａに、図７に示した表示パネル１７（１８）上にソフトウェアで作成した連続給油ボタンと同様の構成を有するスイッチ手段を設けたり（図１０（ｂ））、ＰＯＳ３２の外部入力装置３２ｂに、図２に示したキースイッチ１９（２０）や、図７に示した表示パネル１７（１８）上にソフトウェアで作成した連続給油ボタンと同様の構成を有するスイッチ手段を設けて連続給油を行うことができる。
【００４３】
さらに、図１１に示すように、給油装置１（１Ａ〜１Ｄ）にフルサービス用のＰＯＳ４１と、セルフサービス用のＰＯＳ４２の両方が接続されている場合に、フルサービス用のＰＯＳ４１に上記ＰＯＳ３２と同様のスイッチ手段を設けて連続給油を可能とし、セルフサービス用のＰＯＳ４２には、連続給油機能を設けないように構成することもできる。
【符号の説明】
【００４４】
１（１Ａ〜１Ｄ）  給油装置
２  本体
３  モータ
４  給油ポンプ
５  パイプ
７、８  流量計
１０、１１  電磁弁
１３、１４  ノズル掛け
１５、１６  ノズルスイッチ
１７、１８  表示パネル
１９、２０  キースイッチ
１９ａ、２０ａ  キー
２１  制御装置
３１（３１Ａ〜３１Ｄ）  （給油装置の）外部入力装置
３２  ＰＯＳ
３２ａ  （ＰＯＳの）表示部
３２ｂ  （ＰＯＳの）外部入力装置
４１  フルサービス用のＰＯＳ
４２  セルフサービス用のＰＯＳ
【図１】
0005641235.tif 000002
【図２】
0005641235.tif 000003
【図３】
0005641235.tif 000004
【図４】
0005641235.tif 000005
【図５】
0005641235.tif 000006
【図６】
0005641235.tif 000007
【図７】
0005641235.tif 000008
【図８】
0005641235.tif 000009
【図９】
0005641235.tif 000010
【図１０】
0005641235.tif 000011
【図１１】
0005641235.tif 000012